(57)【特許請求の範囲】
【請求項１】
シート原稿を搬送可能なシート原稿自動給送手段２と、このシート原稿自動給送手段２によって搬送されるシート原稿の表面を読取る第１読取手段１と、同原稿の裏面を読取る第２読取手段３とを具え、前記第１読取手段１は、原稿を載置する第１コンタクトガラス６を設けた読取基体４を有し、またこの第１読取手段１は、前記シート原稿の読取り面の基準となる第２コンタクトガラス２１を有し、第２読取手段３は、同シート原稿の読取り面の基準となる第３コンタクトガラス４８を有しており、
シート原稿を前記第２，第３コンタクトガラス２１，４８上の所定の読取位置へ給送させながら、前記第１読取手段１および第２読取手段３によってそれぞれ、該シート原稿の表面および裏面の画像を読取るシート原稿読取モードと、ブック原稿等の厚手原稿を前記第１コンタクトガラス６上に載置して、この第１コンタクトガラス６に沿って前記第１読取手段１の読取り面を移動させながら、この第１読取手段１によって、前記厚手原稿の画像読取りを行うブックモードとのいずれかのモードを選択することができる画像読取装置において、
前記シート原稿を給送する経路の一部が、第１読取背面板２３と第２読取背面板２２とを互いに面としての平行度を確保して対向配置して固定し、これらの第１読取背面板２３と第２読取背面板２２との間に形成した通紙間隙２４によって構成され、
前記第２読取背面板２２の通紙間隙２４に対面した箇所には、前記第１読取手段１の第２コンタクトガラス２１が同一面を確保して設けられ、前記第１読取背面板２３の通紙間隙２４に対面した箇所には、前記第２読取手段３の第３コンタクトガラス４８が同一面を確保して設けられ、かつ、これらの第２コンタクトガラス２１と第３コンタクトガラス４８とが近接配置され、
第２コンタクトガラス２１および第３コンタクトガラス４８に対して通紙方向の上流側および下流側にシート原稿を給送する搬送部材３６，３８を配置しており、
前記第１読取背面板２３には、前記第２読取手段３が一体的に装着されていることを特徴とする画像読取装置。
【請求項２】
前記装置本体には、前記第２読取手段２に対するコネクタ４７が設けられ、該コネクタ４７によって、第１読取背面板２３の装置本体への取付け取り外しに伴い、第２読取手段２への信号線の挿脱が自動的に行われることを特徴とする請求項１に記載の画像読取装置。
【請求項３】
前記読取基体４には、前記ブックモードを用いるときに、前記第１コンタクトガラス６上における原稿の位置決めをする厚手原稿位置決定部材７が設けられ、
この厚手原稿位置決定部材７には、前記第２読取背面板２２が設けられるとともに、前記第１読取背面板２３に向けて所定量突出した突部２６が設けられ、この突部２６が前記第１読取背面板２３に当接して、第２コンタクトガラス２１に対する、第１読取背面板２３および該第１読取背面板２３に一体的に装着された第２読取手段３の高さ方向の位置決めをしており、
前記厚手原稿位置決定部材７が、前記第１コンタクトガラス６上に載置する原稿の位置決定手段と前記高さ方向位置決手段とを兼ねていることを特徴とする請求項１または２に記載の画像読取装置。
【発明の詳細な説明】
【０００１】
【発明の属する技術分野】
この発明は、画像読取装置に関するものである。
【０００２】
【従来の技術】
従来この種の画像読取装置としては、原稿自動給送手段と、シート原稿の表面を読取る第１読取手段と、同原稿の裏面を読取る第２読取手段とを具え、同原稿をコンタクトガラス上の所定の読取位置へ給送させながらシート画像を読取るシート原稿読取モードと、ブック原稿等の厚手の原稿をコンタクトガラス上に載置して、第１読取手段を移動させながら画像読取りを行うブックモードとを選択することができるものが使用されている。
【０００３】
そしてこのような画像読取装置では、シート原稿読取モードにおいては、シート原稿を分離して所定の読取位置まで搬送して表面を読取った後、同原稿を反転させて再び所定の読取位置まで搬送して、裏面を読取った後排紙して両面読取りが行われている。このため読取りのスループットが早くできず、また搬送経路が複雑なため原稿にダメージを与えたり、破損させる可能性が多い等の問題がある。
【０００４】
【発明が解決しようとする課題】
そこでこのような問題を解消することができるものとして、特開平４−２３４２５８号公報に開示されたものがあり、これは２つの光学系をもっていて、原稿を搬送しながら両面を同時に読取るものである。しかしながらこのようなものは、２つの光学系をもつのに加えて部品点数が多いので、構造が複雑であって組付け性が劣悪であるのに加えて、小型サイズのものとすることができなくて高コストとなるという問題がある。
【０００５】
そこでこの発明の目的は、前記のような従来の画像読取装置のもつ問題を解消し、読取りのスループットが早くでき、また搬送経路が簡単であって原稿にダメージを与えたり、破損させる可能性が少なく、構造が簡単であって組付け性が良好であるのに加えて、小型サイズのものとすることができて、高コストとなることのない画像読取装置を提供するにある。
【０００６】
【課題を解決するための手段】
この発明は、前記のような目的を達成するために、請求項１に記載の発明は、シート原稿を搬送可能なシート原稿自動給送手段２と、このシート原稿自動給送手段２によって搬送されるシート原稿の表面を読取る第１読取手段１と、同原稿の裏面を読取る第２読取手段３とを具え、前記第１読取手段１は、原稿を載置する第１コンタクトガラス６を設けた読取基体４を有し、またこの第１読取手段１は、前記シート原稿の読取り面の基準となる第２コンタクトガラス２１を有し、第２読取手段３は、同シート原稿の読取り面の基準となる第３コンタクトガラス４８を有しており、シート原稿を前記第２，第３コンタクトガラス２１，４８上の所定の読取位置へ給送させながら、前記第１読取手段１および第２読取手段３によってそれぞれ、該シート原稿の表面および裏面の画像を読取るシート原稿読取モードと、ブック原稿等の厚手原稿を前記第１コンタクトガラス６上に載置して、この第１コンタクトガラス６に沿って前記第１読取手段１の読取り面を移動させながら、この第１読取手段１によって、前記厚手原稿の画像読取りを行うブックモードとのいずれかのモードを選択することができる画像読取装置において、前記シート原稿を給送する経路の一部が、第１読取背面板２３と第２読取背面板２２とを互いに面としての平行度を確保して対向配置して固定し、これらの第１読取背面板２３と第２読取背面板２２との間に形成した通紙間隙２４によって構成され、前記第２読取背面板２２の通紙間隙２４に対面した箇所には、前記第１読取手段１の第２コンタクトガラス２１が同一面を確保して設けられ、前記第１読取背面板２３の通紙間隙２４に対面した箇所には、前記第２読取手段３の第３コンタクトガラス４８が同一面を確保して設けられ、かつ、これらの第２コンタクトガラス２１と第３コンタクトガラス４８とが近接配置され、第２コンタクトガラス２１および第３コンタクトガラス４８に対して通紙方向の上流側および下流側にシート原稿を給送する搬送部材３６，３８を配置しており、前記第１読取背面板２３には、前記第２読取手段３が一体的に装着されていることを特徴とするものである。
【０００８】
請求項２に記載の発明は、請求項１に記載の発明において、前記装置本体には、前記第２読取手段２に対するコネクタ４７が設けられ、該コネクタ４７によって、第１読取背面板２３の装置本体への取付け取り外しに伴い、第２読取手段２への信号線の挿脱が自動的に行われることを特徴とするものである。
【０００９】
請求項３に記載の発明は、請求項１または２に記載の発明において、前記読取基体４には、前記ブックモードを用いるときに、前記第１コンタクトガラス６上における原稿の位置決めをする厚手原稿位置決定部材７が設けられ、この厚手原稿位置決定部材７には、前記第２読取背面板２２が設けられるとともに、前記第１読取背面板２３に向けて所定量突出した突部２６が設けられ、この突部２６が前記第１読取背面板２３に当接して、第２コンタクトガラス２１に対する、第１読取背面板２３および該第１読取背面板２３に一体的に装着された第２読取手段３の高さ方向の位置決めをしており、前記厚手原稿位置決定部材７が、前記第１コンタクトガラス６上に載置する原稿の位置決定手段と前記高さ方向位置決手段とを兼ねていることを特徴とするものである。
【００１０】
【発明の実施の形態】
図１，２に示すこの発明の第１実施形態において、１は第１読取手段、２は原稿自動給送手段、３は第２読取手段を示す。第１読取手段１は、箱状の読取基体４を有し、その上面一側に厚手原稿用の第１コンタクトガラス６、他側に厚手原稿位置決定部材７を設け、内部には縮小光学系の照明８、第１ミラー９等からなる第１走行体１１と、第２ミラー１２、第３ミラー１３等からなる第２走行体１４と、レンズ１６、光電変換手段（ＣＣＤ）１７、制御基板１８等によって構成されている読取手段が配置されている。厚手原稿位置決定部材７には、シート原稿表面用の第２コンタクトガラス２１、シート原稿裏面用の第２背面板２２が取付けられており、後記する第１読取手段１の第１背面板２３との間に通紙間隙２４を形成するための凸部２６が形成されている。第２読取手段３は密着型の等倍センサであって、図示を省略した通常のセルフォックレンズ、センサ、基板、ＬＥＤ光源等によって構成されている。
【００１１】
第１，２走行体１１，１４はそれぞれ図示しないワイヤ又はタイミングベルト等によって、図示しないモータによって２：１の速度で移動して、第１コンタクトガラス６上の厚手原稿を走査し、原稿の像はＣＣＤ１７上に結像して、電気信号に変換されて制御基板１８で画像処理される。これ以外に照明、複数のミラー、レンズ、ＣＣＤ１７を１ユニットとして縮小光学系を構成し、第１コンタクトガラス６上の厚手原稿を走査する方法等であってもよい。
【００１２】
原稿自動給送手段２は、両側板２７，２８と、これら両側板２７，２８間に装架された原稿トレイ２９、原稿を上から順番に分離部へ搬送するピックアップコロ３１等で構成される給紙手段と、フイードコロ３２、分離コロ３３等で構成される分離手段と、ガイド板３４、搬送コロ３６等で構成されて、原稿を第１読取位置Ａ及び第２読取位置Ｂまで搬送する搬送手段と、ガイド板３７、搬送コロ３８等で構成され読取った原稿を排紙する排紙手段と、排紙された原稿をスタックする排紙トレイ３９とを有している。
【００１３】
４１は原稿トレイ３９上の原稿の有無を検知する原稿センサ、４２は原稿が給紙されたことを検知して、前記給紙部、分離部の駆動をオフさせる給紙センサ、４３は読取タイミングを検知する読取センサ、４４は原稿が排紙されたことを確認する排紙センサである。この実施形態は上繰り給紙方式となっているが、この代わりに下繰り給紙方式としてもよく、また裏面を上にして給紙し、反転しないで読取後そのまま排紙する給紙方式としてもよい。また分離手段としてフイードコロ３２、分離コロ３３等の代わりにＦＲＲ、フリクションパット等を使用してもよい。
【００１４】
第１読取手段１の第１背面板２３は、図２に示すように止めねじ４６によって、原稿自動給送手段２の両側板２７，２８に着脱可能に装着され、一側の側板２７には第２読取手段３に対するコネクタ４７が取付けられている。第１背面板２３の厚手原稿位置決定部材７の第２背面板２２に対向する位置に第２読取手段３が取付けられており、４８はシート原稿裏面用の第３コンタクトガラスを示す。
【００１５】
前記のようなものにおいて、ＡＤＦ方式をもってシート原稿を搬送して、それの両面を読取るに際しては、図示しないスタートスイッチをオンすると、原稿センサ４１によって給紙手段の原稿トレイ２９上の原稿があることが検知され、ピックアップコロ３１によって上方の原稿から順次分離部へ搬送され、フイードコロ３２及び分離コロ３３によって１枚ずつ分離され、搬送手段のガイド板３４に沿って搬送される。このようにして給紙センサ４２が原稿の先端を検知した後一定距離だけ搬送して、該先端が搬送コロ３６のニップに到達すると、ピックアップコロ３１及び分離コロ３３の駆動が断たれて、これらがつれ回りすることとなる。このようにして原稿の後端が、給紙センサ４２を通過して所定距離搬送されると、ピックアップコロ３１がつぎの原稿を搬送して、原稿センサ４１が原稿トレイ２９に原稿がなくなったことを検知するまで前記と同様のことが繰り返えされる。
【００１６】
前記のようにして搬送された原稿の先端が、読取センサ４３によって検知されると、その搬送量を図示しないパルスモータのステップをカウントすることによって計量され、それによって先端が第１原稿読取位置Ａに到達したことが検知されると、第１読取手段１によって原稿の表面の読取りを、また第２原稿読取位置Ｂまでに到達したことが検知されると、第２読取手段３によって原稿の裏面の読取りを行うこととなる。このようにして原稿の後端が読取センサ４３によって検知すると、前記と同様にしてその搬送量をパルスモータのステップをカウントすることによって計量し、それが所定値に到達すると読取りを終了する。
【００１７】
このようにして読取りが終了した原稿が、ガイド板３７、搬送コロ３８等で構成された排紙手段によって排紙トレイ３９に排紙されてスタックされる。この際排紙センサ４４によって排紙された原稿の後端を検知した後所定距離搬送することによって原稿が排紙トレイ３９にスタックしたことを確認し、ＡＤＦ方式によるシート原稿の読取りを完了する。この両面原稿読取りの際には、第２読取手段３が取付けられている第１背面板２３が、図２に示すように厚手原稿位置決定部材７の凸部２６に支持されることとなって、第２読取手段のコンタクトガラスに対する高さ方向の位置決めを行うこととなる。
【００１８】
図３に示すこの発明の第２実施形態は、第１実施形態の第１背面板２３の代わりに、第２読取手段３が設けられていない第３背面板５１を使用したものである。このようにするために図２において、止めねじ４６を外して側板２７，２８から第１背面板２３を取外し、代わりに第３背面板５１を止めねじ４６によって側板２７，２８に取付けることとなる。このようなものは両面読取りを必要としない場合に使用されるものであり、このようにして必要に応じて第１背面板２３又は第３背面板５１を採用することにより、両面読取装置又は片面読取装置のいずれかに簡単な操作で容易に変換することができる。
【００１９】
前記の両実施形態において、厚手原稿を使用する場合には、従来のものにおけると同様に、第１コンタクトガラス６上に厚手原稿を載置して、第１読取手段１によって読取りを行うことになるが、その際厚手原稿位置決定部材７によって厚手原稿の位置決めを行うこととなる。
【００２０】
【発明の効果】
この発明は上記のようであって、請求項１に記載の発明は、シート原稿を搬送可能なシート原稿自動給送手段２と、このシート原稿自動給送手段２によって搬送されるシート原稿の表面を読取る第１読取手段１と、同原稿の裏面を読取る第２読取手段３とを具え、第１読取手段１は、原稿を載置する第１コンタクトガラス６を設けた読取基体４を有し、またこの第１読取手段１は、シート原稿の読取り面の基準となる第２コンタクトガラス２１を有し、第２読取手段３は、同シート原稿の読取り面の基準となる第３コンタクトガラス４８を有しており、シート原稿を第２，第３コンタクトガラス２１，４８上の所定の読取位置へ給送させながら、第１読取手段１および第２読取手段３によってそれぞれ、該シート原稿の表面および裏面の画像を読取るシート原稿読取モードと、ブック原稿等の厚手原稿を第１コンタクトガラス６上に載置して、この第１コンタクトガラス６に沿って第１読取手段１の読取り面を移動させながら、この第１読取手段１によって、厚手原稿の画像読取りを行うブックモードとのいずれかのモードを選択することができる画像読取装置において、シート原稿を給送する経路の一部が、第１読取背面板２３と第２読取背面板２２とを互いに面としての平行度を確保して対向配置して固定し、これらの第１読取背面板２３と第２読取背面板２２との間に形成した通紙間隙２４によって構成され、第２読取背面板２２の通紙間隙２４に対面した箇所には、第１読取手段１の第２コンタクトガラス２１が同一面を確保して設けられ、第１読取背面板２３の通紙間隙２４に対面した箇所には、第２読取手段３の第３コンタクトガラス４８が同一面を確保して設けられ、かつ、これらの第２コンタクトガラス２１と第３コンタクトガラス４８とが近接配置され、第２コンタクトガラス２１および第３コンタクトガラス４８に対して通紙方向の上流側および下流側にシート原稿を給送する搬送部材３６，３８を配置しており、第１読取背面板２３には、第２読取手段３が一体的に装着されているので、シート原稿読取モードを用いるときに、読取りのスループットが早くでき、また搬送経路が簡単であって原稿にダメージを与えたり、破損させる可能性が少なく、構造が簡単であって組付け性が良好であるのに加えて、小型サイズのものとすることができて、高価になることがないという効果がある。
【００２２】
請求項２に記載の発明は、請求項１に記載の発明において、第１読取背面板２３の装置本体への取付け取り外しに伴なって、第２読取手段３への信号線の挿脱が自動的に行われるので、電気的な接続を忘れるなどの人為的ミスを未然に防止でき、かつ別作業となっていた接続作業が取付け取り外し作業に含まれることになって取付け取り外し作業に手間が掛からずに済み、第２読取手段３の原稿読取装置本体への着脱が容易かつ効率よく行われるという効果がある。
【００２３】
請求項３に記載の発明は、請求項１または２に記載の発明において、読取基体４には、ブックモードを用いるときに、第１コンタクトガラス６上における原稿の位置決めをする厚手原稿位置決定部材７が設けられ、この厚手原稿位置決定部材７には、第２読取背面板２２が設けられるとともに、第１読取背面板２３に向けて所定量突出した突部２６が設けられ、この突部２６が第１読取背面板２３に当接して、第２コンタクトガラス２１に対する、第１読取背面板２３および該第１読取背面板２３に一体的に装着された第２読取手段３の高さ方向の位置決めをしており、厚手原稿位置決定部材７が、第１コンタクトガラス６上に載置する原稿の位置決定手段と高さ方向位置決手段とを兼ねているので、同じ部品で異なることを行うことができ、構造を簡単にして安価なものとすることができるという効果がある。
【図面の簡単な説明】
【図１】この発明の第１実施形態の要部の縦断正面図である。
【図２】同上の線２−２による断面図である。
【図３】この発明の第２実施形態の図１と同様の縦断正面図である。
【符号の説明】
１  第１読取手段                ２  原稿自動給送手段
３  第２読取手段                ４  読取基体
６  第１コンタクトガラス        ７  厚手原稿位置決定部材
８  照明                          ９  第１ミラー
１１  第１走行体                  １２  第２ミラー
１３  第３ミラー                  １４  第２走行体
１６  レンズ                      １７  ＣＣＤ
１８  制御基板                    ２１  第２コンタクトガラス
２２  第２背面板                  ２３  第１背面板
２４  通紙間隙                    ２６  凸部
２７  側板                        ２８  側板
２９  原稿トレイ                  ３１  ピックアップコロ
３２  フイードコロ                ３３  分離コロ
３４  ガイド板                    ３６  搬送コロ
３７  ガイド板                    ３８  搬送コロ
３９  排紙トレイ                  ４１  原稿センサ
４２  給紙センサ                  ４３  読取センサ
４４  排紙センサ                  ４６  止めねじ
４７  コネクタ                    ４８  第３コンタクトガラス
５１  第３背面板
【図１】
0003568368.tif 000002
【図２】
0003568368.tif 000003
【図３】
0003568368.tif 000004